(57)【特許請求の範囲】
【請求項１】
胴体部と、この胴体部にヒンジ式に連結された蓋とを含み、この蓋が閉じた際に胴体部によって形成されたスペースを蓋が囲み、この蓋は端部と、蓋が閉じた際に胴体部の側面と重なる端部から延びた側壁とを含み、窪みが側壁に形成され、窪みは、内方窪み部分と外方窪み部分を含み、外方窪み部分は、弧状側面部を有し、タブが前記側面から延びて、蓋が閉じた位置の方に枢動した際に、窪みが形成された側壁とタブが接触し、弧状側面部がタブを内方窪み部分内に案内し、蓋が閉じた位置に到達するとタブが側壁の窪み内に位置する喫煙品用パッケージ。
【請求項２】
前記壁およびタブが、これらが互いに協働する際に壁がタブによって弾性変形するように構成されていることを特徴とする請求項１記載のパッケージ。
【請求項３】
前記壁およびタブが、これらが互いに協働する際にタブが壁によって弾性変形するように構成されていることを特徴とする請求項１または２記載のパッケージ。
【請求項４】
前記蓋の壁が前記蓋の回転軸に対して垂直に延びた面に位置する側壁であることを特徴とする請求項１または２記載のパッケージ。
【請求項５】
前記側壁が外層と、内層とを含むことを特徴とする請求項４記載のパッケージ。
【請求項６】
前記窪みが前記内層に形成された切り欠きから形成されていることを特徴とする請求項５記載のパッケージ。
【請求項７】
前記切り欠きが前記壁の一縁部に沿って延びていることを特徴とする請求項６記載のパッケージ。
【請求項８】
前記側壁が前記端部から延びた第１縁部を有し、前記切り欠きが前記第１縁部を横断する第２縁部に沿って形成されていることを特徴とする請求項７記載のパッケージ。
【請求項９】
前壁が前記第２縁部から延び、この前壁は前記側壁と前記端部に対して実質的に垂直であることを特徴とする請求項８記載のパッケージ。
【請求項１０】
前記側壁が自由縁部を有し、前記切り欠きが開口した端部を有し、前記自由縁部に延びていることを特徴とする請求項６乃至９いずれか１項記載のパッケージ。
【請求項１１】
前記切り欠きが第１および第２部分を含み、第２部分が前記タブを前記自由縁部から前記切り欠きの第１部分に案内するように構成された側部面を含むことを特徴とする請求項１０記載のパッケージ。
【請求項１２】
前記側部面が弧状側面部を形成することを特徴とする請求項１１記載のパッケージ。
【請求項１３】
前記側壁が自由縁部を有し、前記切り欠きが前記自由縁部の方へとその手前まで延びていることを特徴とする請求項６乃至９いずれか１項記載のパッケージ。
【請求項１４】
前記タブが前記胴体部の面の一縁部から延びていることを特徴とする請求項１乃至１３いずれか１項記載のパッケージ。
【請求項１５】
前記タブが胴体部の前記面から横手方向に延びていることを特徴とする請求項１乃至１４いずれか１項記載のパッケージ。
【請求項１６】
前記タブが切断線によって分割された一組のタブ部分を含むことを特徴とする請求項１乃至１５いずれか１項記載のパッケージ。
【請求項１７】
前記蓋が閉じた位置にあるとき、１つのタブ部分が前記窪み内に位置し、他のタブ部分が前記壁の内面と協働するように前記タブ部分と前記窪みが構成されていることを特徴とする請求項１６記載のパッケージ。
【請求項１８】
前記胴体部が内方シェルと外方シェルとを含み、内方シェルが外方シェルに収容され、前記蓋が閉じているときに前記壁が内方シェルと重なるように前記タブが内方シェルから延びていることを特徴とする請求項１乃至１７いずれか１項記載のパッケージ。
【請求項１９】
前記内方シェルが前壁と少なくとも１つの側壁とを含み、蓋が開けられる、または閉じられる際の内方シェルと蓋との間の干渉が減じられるように前壁と側壁の一部が切り取られていることを特徴とする請求項１８記載のパッケージ。
【請求項２０】
前記蓋が蓋が閉じた際に胴体部の対向する面と重なる前記端部の対向縁部から延びた一組の対向する壁を含み、各壁がそこに形成された窪みを含み、タブが前記各面から延び、蓋が閉じられた際にタブが前記窪み内に位置することを特徴とする請求項１乃至１９いずれか１項記載のパッケージ。
【請求項２１】
喫煙品を含む請求項１乃至２０いずれか１項記載のパッケージ。
【発明の詳細な説明】
【技術分野】
【０００１】
本発明は、パッケージおよびパッケージを作成するためのブランクに関する。特に本発明は、喫煙品用のヒンジ式蓋付きパッケージに関するが、これに限定されるものではない。
【背景技術】
【０００２】
ここでいう「喫煙品」とは、タバコ、タバコ派生物、膨張タバコ、再生タバコまたはタバコ代替え品、および非燃焼性製品をベースにした紙巻きタバコ、シガー、シガリロなどの喫煙可能な製品を含むが、これらに限定されない。喫煙品には喫煙者によって吸引される気体流用のフィルターが設けられている場合がある。
【０００３】
ヒンジ式蓋付きパケットは、当業者によく知られており、紙巻きタバコが潰れないように紙巻きタバコを保持するためのものとしてタバコ業界で広く使用されている。このようなヒンジ式蓋付きパケットの一例が下記特許文献１に示されており、これは一般的に１０から２０本のばらの紙巻きタバコを所定の構成に保持するものである。通常ヒンジ式蓋付きパケットは、一組の板紙からなるブランクから作成される。
【先行技術文献】
【特許文献】
【０００４】
【特許文献１】ドイツ特許第１４３１１７３号
【０００５】
第１のブランクは、前壁からなる主要胴体部と、後壁と、前壁と後壁の間を延びる１組の側壁と、底部と、後壁にヒンジ式に連結した蓋とを含む外方シェルを形成し、第２のブランクは、通常、外方シェルの前壁および側壁の内側に取り付けられるインサートまたは内方シェルを形成し、これは蓋が開いたときに外壁上に突出し、露出する。壁上に突出した内方シェルの露出した部分は、蓋の前壁および側壁によって覆われ、蓋を閉じた際に主要胴体部と蓋との間の封止するために使用される。特に内方シェルは、その露出面と摩擦係合する蓋の前壁と側壁によって蓋を閉じた状態に維持しようとする。
【０００６】
しかしながら、従来のパケットには内方シェルが、特に内方シェルが外方シェルの内面に装着され、よって内方シェルが蓋に対して突出しないことによって蓋を閉じた状態に維持するために蓋に充分に作用しないという問題がある。この問題を解消しようとして、内方シェルから形成され、蓋が閉じた際に蓋の内面へと外方に突出するタブまたは耳部を設けることは当業者に知られている。このようなタブは、蓋の内面に対して作用することによって閉じた蓋を摩擦で保持する役割を果たす。
【０００７】
この構造にはタブが蓋を完全に閉じた位置に係止せず、ユーザーは、蓋が完全に閉じた際の触覚的な目安またはフィードバックが全く得られないという欠点がある。また蓋は不完全に開いた状態にあるとき、「口が開いた」状態になりやすい。
【０００８】
さらに従来のパッケージではタブは、蓋が閉じているときには常に蓋の内面に対して押されるので、タブは外方シェルの外側に作用する力および圧力によって曲がってしまい、これによりタブが劣化し、機能しなくなる場合がある。
【発明の概要】
【発明が解決しようとする課題】
【０００９】
本発明は上述した従来のヒンジ式蓋付きパッケージの問題点を解決する、または実質的に軽減するパッケージを提供することを目的としている。
【００１０】
本発明では喫煙品用のパッケージが提供され、このパッケージは胴体部と、この胴体部にヒンジ式に連結された蓋とを含み、蓋は閉じたときに胴体部によって形成された空間を閉じ、この蓋は端部と、閉じたときに胴体部の面と重なる端部から延びた壁とを含み、窪みがこの壁に設けられており、蓋が閉じているときにこの窪み内に位置するように胴体部の面からタブが延びている。
【００１１】
好ましくはタブと壁は、蓋が開くまたは閉じる際に協働するように構成され、タブは蓋が閉じているときに窪み内に位置する。
【００１２】
壁とタブは、これらが互いに協働する際にタブによって壁が弾性変形するように構成されていると有利である。
【００１３】
１つの態様では壁とタブは、これらが互いに協働する際に壁によってタブが弾性変形するように構成されている。
【００１４】
蓋の壁は、蓋が回転する軸に対して直角に延びた面に位置する側壁であってもよい。
【００１５】
側壁は、外層と内層を含んでもよく、窪みは内層に形成された切り欠きによって形成されてもよい。
【００１６】
好ましい態様では、切り欠きは壁の一縁部に沿って延びている。
【００１７】
側壁は端部から延びた第１縁部を有し、切り欠きはこの第１縁部を横断する第２縁部に沿って形成されていると便利である。
【００１８】
好ましくは前壁が第２縁部から延び、この前壁は側壁と端部に対して実質的に直交する。
【００１９】
側壁は自由縁部を有し、切り欠きは、端部が開口しており、この自由縁部から延びていると便利である。
【００２０】
切り欠きは第１および第２部分を含み、第２部分はタブを上記自由縁部から切り欠きの第１部分へ案内するように形成された側面を含み、この側面は弧状であってもよい。
【００２１】
側壁は自由縁部を有し、上記切り欠きがこの自由縁部の方に途中まで延びていると有利である。
【００２２】
好ましい態様ではタブは胴体部の面の一縁部から延びている。
【００２３】
好ましくはタブは胴体部の上記面から横手方向に延びている。
【００２４】
タブは切断部によって分けられた一組のタブ部分を含むと有利である。
【００２５】
好ましくはタブ部分と窪みは、蓋が閉じた位置にあるとき、１つのタブ部分が窪み内に位置し、もう一方のタブ部分が壁の内面と協働するように構成されている。
【００２６】
胴体部は内方シェルと外方シェルとを含み、内方シェルは、外方シェルに収容され、蓋が閉じる際に壁が内方シェルに重なるようにタブが内方シェルから延びている。
【００２７】
内方シェルは前壁と少なくとも１つの側壁とを含み、前壁と側壁の一部に蓋が開くまたは閉じるときに内方シェルと蓋の干渉が減少するように切り欠きが設けられている。
【００２８】
好ましくは蓋は、端部の対向する縁部から延びた一組の対向する壁を含み、これらの壁は閉じた際に胴体部の対応する対向面と重なり、各壁はそこに形成された窪みを有し、タブは、蓋が閉じる際にタブがこの窪み内に位置するように各対向面から延びている。
【００２９】
本発明では喫煙品を含むパッケージも提供される。
【００３０】
本発明の好ましい態様を添付の図面を参照して、あくまでも例示のために以下に具体的に説明する。
【図面の簡単な説明】
【００３１】
【図１】本発明の態様による喫煙品用パッケージの斜視図である。
【図２】図１に示した喫煙品用パッケージの外方シェルを形成するために使用されるブランクの平面図である。
【図３】図１に示した喫煙品用パッケージの内方シェルを形成するために使用されるブランクの平面図である。
【図４】図１に示した喫煙品用パッケージのタブと窪みを示す喫煙品用パッケージの斜視図である。
【図５】本発明の別の態様によるタブと窪みを示す喫煙品用パッケージの斜視図である。
【図６】図５に示した喫煙品用パッケージの外方シェルを形成するために使用されるブランクの平面図である。
【図７】図５に示した喫煙品用パッケージの内方シェルを形成するために使用されるブランクの平面図である。
【図８】本発明の別の態様によるタブと窪みを示す喫煙品用パッケージの斜視図である。
【図９】図８に示した喫煙品用パッケージの外方シェルを形成するために使用されるブランクの平面図である。
【図１０】図８に示した喫煙品用パッケージの内方シェルを形成するために使用されるブランクの平面図である。
【図１１】本発明の別の態様によるタブおよび窪みを示す喫煙品用パッケージの斜視図である。
【図１２】図１１に示した喫煙品用パッケージの外方シェルを形成するために使用されるブランクの平面図である。
【図１３】図１１に示した喫煙品用パッケージの内方シェルを形成するために使用されるブランクの平面図である。
【図１４】本発明の別の態様によるタブおよび窪みを示す喫煙品用パッケージの斜視図である。
【図１５】図１４に示した喫煙品用パッケージの外方シェルを形成するために使用されるブランクの平面図である。
【図１６】図１４に示した喫煙品用パッケージの内方シェルを形成するために使用されるブランクの平面図である。
【図１７】図１５に示したブランクの一部の拡大図である。
【図１８】タブを示す喫煙品用パッケージの斜視図である。
【図１９】図１８に示した喫煙品用パッケージの内方シェルを形成するために使用されるブランクの平面図である。
【発明を実施するための形態】
【００３２】
図面を参照すると図１および２に外方シェル１と内方シェル２とを含む本発明の一態様による喫煙品用パッケージが示されている。図２において以下の説明で明らかになるように破線は折り曲げ線を示し、実線は切断線を示す。
【００３３】
外方シェル１は主要胴体部３を含み、この胴体部は、胴体部前壁４、この前壁に平行に配置された胴体部後壁５（図２参照）、これら前壁４および後壁５の間をこれらの壁に対して直交して延び、折り曲げ線８に沿ってこれらの壁に接続した一組の平行な胴体部側壁６、７および主要胴体部３をその下方端部で囲んで喫煙品を収容するスペースが主要胴体部３によって形成されるように前壁４、後壁５、側壁６、７の下方端部１１ａ−ｄを横断して延びた底部９を含んでいる。胴体部側壁６、７の上方端部１４、１５は、胴体部前壁４が後壁５より短くなるように下方端部１１ｃ、１１ｄに対して傾斜して形成されている。上記の構造は喫煙品収容スペースに容易に触れることができ、以下に明らかになるさらなる利点を有する。
【００３４】
外方シェルおよび内方シェル１、２は、ヒンジ式蓋付きパケットがその形状を維持し、喫煙品収容スペース１２に配置された内容物を保護するために硬質の弾性材料、例えば板紙またはプラスチックから形成される。
【００３５】
外方シェル１はさらにヒンジ線１９で胴体部後壁５の上端部１８にヒンジ式に連結された蓋１７を含む。蓋１７はヒンジ線１９で胴体部後壁５に連結された蓋後壁２０と、この蓋後壁２０に平行に配された蓋前壁２１と、これら蓋前壁、蓋後壁２０、２１の間を延び、折り曲げ線２５に沿ってこれら前壁、後壁に接続する一組の平行な蓋側壁２２、２３と、蓋１７をその上端で囲む蓋後壁２０、蓋前壁２１および蓋側壁２２、２３の上端を横断して延びた頂部２６とを含む。
【００３６】
蓋側壁２２、２３の下方端部２８、２９は、蓋１７がヒンジ線１９を中心に回転したときに胴体部前壁４が蓋前壁２１に対して平行に位置し、蓋前壁２１および蓋側壁２２、２３の下方端部３０、２８、２９が胴体部前壁４および胴体部側壁６、７それぞれに対して近接し、平行に配置されるように蓋の上端部２７に対して傾斜して形成されている。上述の位置において、外方シェル１は閉じており、囲まれた喫煙品収容スペース１２が外方シェル内に形成されている。
【００３７】
図１および３を参照すると内方シェル２は、内方シェル前壁３３と一組の内方シェル側壁３４、３５を含んでいる。内方シェル側壁３４、３５それぞれは、折り曲げ線３６、３７で内方シェル前壁３３から垂直に延びている。切り欠き部３８が内方シェル前壁３３の上端部３９から形成され、その上端部に沿って延び、各内方シェル側壁は上端部４２、４３を有する。さらに突出部４４が内方シェル前壁３３の下方端４５に形成されている。
【００３８】
内方シェル前壁３３および側壁３４、３５は、主要胴体部前壁４および側壁６、７それぞれの内面に固定した状態で取り付けられている。内方シェル前壁３３および側壁３４、３５の上端部３９、４２、４３は、それぞれ胴体部前壁４および側壁６、７の上端部３１、１４、１５上に突出している。
【００３９】
上述の例示した態様において、外方シェル１は、図２に示すように一枚のブランク５０から形成される。この外方シェルブランク５０では、主要胴体部側壁６、７は、折り曲げ線８ａに沿って胴体部前壁４から延びた第１胴体部サイドフラップ５１および折り曲げ線８ｂに沿って胴体部後壁５から延びた第２胴体部サイドフラップ５２から形成される。外方シェル１が組み立てられると、胴体部前壁４から延びた第１胴体部サイドフラップ５１は、胴体部後壁５から延びた第２胴体部サイドフラップ５２と重なり、接着剤などの手段によってこれに固定され、胴体部側壁６、７を形成する。
【００４０】
同様に蓋の側壁２２、２３は、折り曲げ線２５ａに沿って蓋前壁２１から延びた第１蓋サイドフラップ５３および折り曲げ線２５ｂに沿って蓋後壁２０から延びた第２蓋サイドフラップ５４から形成される。外方シェル１が形成されると、蓋前壁２１から延びた第１蓋サイドフラップ５３は、蓋後壁２０から延びた第２蓋サイドフラップ５４と重なり、接着剤などの手段によってサイドフラップ５４に固定され、蓋側壁２２、２３を形成し、これにより第１蓋サイドフラップ５３は、蓋側壁２２、２３の外面を形成し、第２蓋サイドフラップ５４は、蓋側壁２２、２３の内面を形成する。
【００４１】
底部フラップ５５が第２胴体部サイドフラップ５２の下方端部から延び、胴体底部９の内面に固定され、胴体底部９を安定させ、胴体部側壁６、７に胴体底部９を取り付ける。同様に頂部フラップ５６が第２蓋サイドフラップ５４から延び、蓋頂部２６の内面に固定され、蓋頂部２６を安定させ、頂部２６を蓋側壁２２、２３に取り付ける。
【００４２】
戻りフラップ５７が蓋頂部２６に対向する側の蓋前壁２１の端部に沿って延び、折り曲げられ、蓋前壁２１の面に固定される（図１参照）。戻りフラップ５７は、前壁２１をさらに支持して強化するものである。
【００４３】
図１から４を参照すると、ヒンジ式蓋付きパケットは、内方シェル側壁３４、３５から横方向に延びた一組のタブ６０、６１を含んでいる。各タブ６０、６１は、内方シェル前壁３３と平行で、それと同じ面に沿って内方シェル側壁３４、３５に対して直交して延びている。各タブ６０、６１は、内方シェル側壁３４、３５に形成された破断線６２、６３によって内方シェル２から形成される。各破断線６２、６３は、タブ外方縁部６４と一組の側縁部６５、６６とを含むタブ６０、６１を形成する。この一組のタブ側縁部６５、６６は、内方シェル側壁３４、３５が内方シェル前壁３３に対して折り曲げられたとき、タブ６０、６１は前壁３３から延びるようにタブ外方縁部６４からそれぞれ折り曲げ線３６、３７へと延びている。各タブ６０、６１は、丸みを帯びた角（図示せず）を有する。従ってタブ６０、６１は、内方シェル１と同じ材料で形成され、下記に明らかになる理由で弾性材料から形成される。
【００４４】
一組の窪み６８が一組の蓋側壁２２、２３の対向する内面に形成されている。各窪み６８は、第１蓋部サイドフラップ５３の一部が蓋１７の内部領域と連通するように第２蓋部サイドフラップ５４に形成された切り欠きから形成されている。各窪み６８は、蓋が組み立てられたときに各窪み６８が第１蓋部サイドフラップ５３によって形成された窪み底部６９と、第２蓋部サイドフラップ５４に形成された切り欠きの縁部によって形成された第１および第２窪み側面７０、７１と、蓋前壁２１の内面７３によって形成された第３窪み側面７２とで構成され、かつ、窪み６８が開口端部７４を有するように各窪み６８が蓋側壁２２、２３の下方端部２８、２９にそれぞれ延びるように第２蓋部サイドフラップ５４の縁部に近接して形成されている。蓋側壁２２、２３の下方端部２８、２９は、それぞれ自由縁部を有しており、この縁部から延びた他の壁または部分は存在しない。
【００４５】
ヒンジ式蓋付きパケットの操作を図１から４を参照し説明する。ヒンジ式蓋付きパケットを形成し、囲まれた喫煙品収容スペース１２を形成するために内方シェル２と外方シェル１を組み立てると、喫煙品（図示せず）がパケット内に配置される。蓋１７は、外方シェル１を開いたり、閉じたりするためにヒンジ式に回転可能であり、これによってユーザーが喫煙品（図示せず）に触れることができる。
【００４６】
囲まれた喫煙品収容スペースに触れることができ、蓋後壁２０が回転して胴体部後壁５に面する「開いた」位置から、胴体部前壁４が蓋前壁２１に平行に位置し、蓋前壁２１と蓋側壁２２、２３の下方端部３０、２８、２９が胴体部前壁４と胴体部側壁６、７の上端部３１、１４、１５に近接し、かつ、平行に位置するように配置される「閉じた」位置へと蓋１７が回転したとき、タブ６０、６１が蓋側壁２２、２３を形成する第１蓋部サイドフラップ５３の内面と接触し、かつ、連通し、これにより内方シェル側壁３４、３５が外方シェル側壁６、７に固定されており、そして、パケットが弾性を有することによって対応するタブ６０、６１および蓋側壁２２、２３が互いに付勢される。従って蓋側壁２２、２３は、タブ６０、６１によって弾性変形し、タブ６０、６１は、蓋１７に対して抵抗し、蓋の動きを制限する。これとは別にタブ６０、６１は、各タブ６０、６１がその対応する蓋側壁２２、２３と協働する際に弾性変形する。
【００４７】
ユーザーが蓋１７をさらにその「閉じた」位置の方へと回転し続けると、窪み６８はタブ６０、６１に対して移動し、タブ６０、６１は、窪み内に位置するようになる。タブ６０、６１および蓋側壁２２、２３が協働し、互いに対して付勢されると、タブ６０、６１は、対応する窪み６８内にバネ式に入り込む。これにより各タブ６０、６１の外方縁部６４が第１窪み側面７０によって解放され、各窪み６８内にバネ式に入り込む際に聞こえる程度の音が発生する。その後各タブ６０、６１は、対応する窪み内に位置すると、対応する第１窪み側面７０に対して位置する各タブ６０、６１によって「閉じた」位置に安定的に保持される。各タブ６０、６１が対応する窪み６８内にバネ式に入り込んで、その表面に衝突すると「クリック」音が発生する。このクリック音は、ユーザーに蓋１７が「閉じた」位置に完全に保持されたことを知らせるものである。
【００４８】
囲まれた喫煙品スペース１２にユーザーが触れる必要が生じた場合、上記とは逆の操作が行われる。蓋は回転して開いた位置に移動し、各タブ６０、６１は、対応する第１窪み側面７０と接触する。さらに力が加えられると、各タブ６０、６１または側壁２２、２３が弾性変形し、各タブ６０、６１が対応する窪みから解放され、蓋が「開いた」位置に回転して移動する。
【００４９】
別の例示的態様を図５から７を参照して説明する。ここで注目すべきことは、外方シェル１および内方シェル２が上述の態様で説明したものと同じであり、これらの説明は省略するが、この態様では蓋１７に形成された窪みが異なる。
【００５０】
この態様では窪み７６が対の蓋側壁２２、２３の各対向する内面に形成されている。各窪み７６は、第１蓋サイドフラップ５３の一部が蓋１７の内部領域と連通するように第２蓋サイドフラップ５４に形成された切り欠きから形成されている。各窪み７６は、蓋１７が組み立てられたときに窪みが第１蓋部サイドフラップ５３によって形成された窪み底部７７と、第２蓋部サイドフラップ５４に形成された切り欠きの縁部によって形成された第１および第２窪み側面７８、７９と、蓋前壁２１の内面７３によって形成された第３窪み側面８０とで構成されるように第２蓋サイドフラップ５４の縁部に近接して形成され、さらに第４窪み側面８１が対応する蓋側壁２２、２３の下方端部２８、２９に近接して形成されていることにより各窪み７６が完全に閉じ、自由縁部まで延びないようになっている。
【００５１】
上述の窪み７６には蓋側壁２２、２３の対応する下方端部２８、２９から見えないように窪み７６が完全に囲まれるという利点がある。
【００５２】
上述の態様によるヒンジ式蓋付きパケットを操作する際、蓋１７が「閉じた」位置にあるとき、一組のタブ側縁部６５、６６は第２および第４窪み側面７９、８１に近接して位置する。
【００５３】
別の例示的態様を図８から１０を参照して説明する。ここで注目すべきことは、外方シェル１および内方シェル２が上述の態様で説明したものと同じであり、これらの説明は省略するが、この態様では内方シェル２に形成されたタブが異なるということである。
【００５４】
この態様ではタブ６０、６１は、上記のように実質的に形成されるが、各タブ６０、６１は、切断線８５によって形成された第１および第２タブ部分８３、８４に分かれている。この切断線は、タブ６０、６１は折り曲げられていないが、折り曲げ線３７からタブ外方縁部６４へと延びている。これらのタブ部分８３、８４はこの態様では同じ大きさに示しているが、当然のことながら、タブ部分８３、８４は、切断線８５の配置に応じて異なる寸法を有してもよい。
【００５５】
さらにこの態様では窪み６８の長さは、蓋が「閉じた」位置に回転して移動した際に第１タブ部分８３が対応する窪み６８内に位置せず、第２タブ部分８４が「閉じた」位置に延びないように定められる。その結果、蓋が「閉じた」位置にあるとき、各第１タブ部分８３が対応する蓋側壁２２、２３のセクション８２に対して位置し、このセクションに対して付勢する、または対応する蓋側壁２２、２３が第１タブ部分８３に対して付勢される。
【００５６】
タブ６０、６１を個別の第１および第２タブ部分８３、８４に分けることの利点の１つとして１つのタブ部分８４を対応する窪み６８内に位置させて、もう一方のタブ部分８３が蓋１７に対して抵抗し、確実に蓋と完全に嵌るということがある。さらに各内方シェル側壁３４、３５に２つの別個のタブ（図示せず）を形成するのに必要な切断部の数を減らすことができ、それでも同じ効果が得られる。
【００５７】
上述の態様では蓋１７が「閉じている」位置にあるとき、第２タブ部分８４が窪み１７内に位置し、第１タブ部分８３が対応する蓋側壁２２、２３のセクション８２に対して位置するようにタブ６０、６１は分かれて示されているが、当業者には当然のことながら本発明はこれに限定されず、一組のタブが各遠位側の内方シェル前壁の各側から互いの方に延びるように形成し、蓋１７が閉じているときに１つのタブがスロット内に位置し、他のタブが内方の側壁面に対して位置するようにしてもよい。
【００５８】
別の例示的態様を図１１から１３を参照して説明する。ここで注目すべきことは、外方シェル１および内方シェル２が上述の態様で説明したものと同じであり、これらの説明は省略するということである。
【００５９】
この例示した態様ではタブ６０、６１は、切断線８５によって形成された第１および第２タブ部分８３、８４に分けられた各タブ６０、６１を有する上記態様で説明したように実質的に形成される。
【００６０】
さらにこの態様では一組の窪み７６が一組の蓋側壁２２、２３の対向する内面に形成されている。しかしながら、各窪み７６は、蓋１７が組み立てられたときに窪みが第１蓋部サイドフラップ５３によって形成された窪み底部７７と、第２蓋部サイドフラップ５４に形成された切り欠きの縁部によって形成された第１および第２窪み側面７８、７９と、蓋前壁２１の内面７３によって形成された第３窪み側面８０とで構成されるように第２蓋サイドフラップ５４の縁部に近接して形成され、さらに第４窪み側面８１が蓋側壁２２、２３の対応する下方端部２８、２９に近接して形成されていることにより各窪み７６が完全に閉じ、蓋側壁のセクション８６が第４窪み側面８１と対応する蓋側壁２２、２３の下方端部２８、２９の間に形成される。
【００６１】
従って蓋１７が回転して「閉じた」位置に移動すると、各第１タブ部分８３は、対応する窪み７６内に延びるが、第２タブ部分８４は、対応する窪み６８内に位置しない。なぜなら第２タブ部分８４は対応する蓋側壁２２、２３のセクション８６に対して位置し、このセクションに対して付勢する、または対応する蓋側壁２２、２３が第２タブ部分８４に対して付勢されるからである。
【００６２】
別の例示的態様を図１４から１７を参照して説明する。ここで注目すべきことは、外方シェル１および内方シェル２が図１から４に示した上述の態様で説明したものと同じであり、これらの説明は省略するが、この態様では一組の蓋側壁２２、２３の対向する内面に形成された窪みが異なるということである。
【００６３】
この例示した態様では窪み９０は、実質的に上記のように形成されるが、この態様では各窪み９０は、内方および外方窪み部分９１、９２に分かれている。各窪み９０は、第１蓋サイドフラップ５３の一部が窪み底部６９を形成するために蓋１７の内方領域に連通するように第２蓋サイドフラップ５４に形成された切り欠きから形成されている。各窪み９０は、蓋１７が組み立てられた際に各窪みが蓋前壁２１の内面によって形成された第３の窪み側面７２を含むように第２蓋サイドフラップ５４の縁部に近接して形成される。
【００６４】
しかしながら、この態様では内方窪み部分９１は、切り欠きの縁部によって形成された第１側部面９３と第２側部面９４とを含む。内方窪み部分９１の第２側部面９４は、第３窪み側部面７２に対して平行に延びている。内方窪み部分９１は、その第１側部面９３に対向する端部で外方窪み部分９２と連通している。外方窪み部分９２は、外方窪み部分９２が開口端部９５を有するように内方窪み部分９１から対応する蓋側壁２２、２３の下方端部２８、２９まで延びている。
【００６５】
外方窪み部分９２は、内方窪み部分９１の第２側部面９４から延び、第３窪み側部面７２に対向した弧状側部面９６を含む。外方窪み部分９２の弧状側部面９６は、開口端部９５に隣接する外方窪み部分９２の幅が内方窪み部分９１に隣接する外方窪み部分９２の幅より大きくなるように第３窪み側部面７２から弓状に離れている。弧状側部面９６の弧は、蓋１７が「開いた」位置および「閉じた」位置の間を回転して移動する際の蓋側壁２２、２３に対するタブ６１の弧状の動きに対応している。蓋１７が回転して「閉じた」位置に移動すると、タブは外方窪み部分９２によって内方窪み部分９１内に案内される。当然のことながら内方および外方窪み部分９１、９２は、タブ６１の配置に応じて異なる寸法を有してもよい。
【００６６】
さらにこの態様では窪み６８の長さは、蓋が回転してその「閉じた」位置に移動した際にタブ６１が内方窪み部分９１内に位置するように決められる。その後蓋が「閉じた」位置に移動すると、各タブ６１は窪み底部６９に対して位置し、これを付勢する。
【００６７】
上記態様の利点の１つは、蓋１７が閉じた際にタブ６１が対応する内方窪み部分９１内に正確に位置するように外方窪み部分９２が対応するタブ６１のためのガイドとして機能するということである。さらに蓋１７を閉じた際にタブ６１が内方窪み部分９１内に位置するときに発生する音を軽減する。
【００６８】
上述の例示した態様において外方窪み部分９２は、弧状の窪み側部面９６を有するように示されているが、当業者にとっては当然のことながら、本発明はこれに限定されず、弧状の窪み側部面９６は、開口端部９５における外方窪み部分９１の幅が内方窪み部分９１に近接した外方窪み部分９２の幅より大きくなるように第１窪み部分９１の第１側面から角度を付けて開口端部９５へと延びた真っ直ぐな縁部を有するように形成してもよい。
【００６９】
別の例示的態様を図１８および１９を参照して説明する。ここで注目すべきことは、外方シェル１および内方シェル２が上述の態様で説明したものと同じであり、これらの説明は省略するが、この態様では内方シェル前壁および側壁３３、３４、３５の上方端部が異なるということである。
【００７０】
この例示した態様では内方シェル２が内方シェル前壁３３から形成され、この前壁に沿って延びた切り欠き部９８と、この切り欠き部９８から延び、かつ、各内方シェル側壁３４、３５の上方端部１０１に亘って延びた内方シェル前壁３３の上方端部のスライス部分９９、１００とを含む。各スライス部分９９、１００は、蓋１７が「開いた」位置および「閉じた」位置の間を回転して移動する際、内方シェル前壁および側壁３３、３４、３５が蓋１７と衝突しないように前壁３３に近接した内方シェル前壁および側壁３３、３４、３５の高さを低くしている。従って蓋１７が「開いた」位置および「閉じた」位置の間を回転して移動する際、蓋１７と内方シェル２との間の干渉が減じられる、または除去される。
【００７１】
当業者にとっては当然のことながら、蓋１７と内方シェル２との間の干渉を減じるまたは除去するスライス部分９９、１００を有する内方シェル２は、ここで説明した本発明の他の態様のいずれに使用してもよい。上述の態様のいずれにおいても一組のタブを利用し、各内方シェル前壁の各側に１つずつ延びているが、本発明はこれに限定されず、１つのタブを内方シェル前壁の側部にのみ形成してもよい。これとは別に複数のタブを内方シェル前壁の各側から延びるように形成して蓋側壁の内面に形成された複数のスロット内に位置するようにしてもよい。
【００７２】
さらに上述の態様ではタブは、内方シェルの前壁の縁部から横方向に延びて示されているが、本発明はこれに限定されず、タブは、折り曲げ線３６、３７から内方シェルの遠位の側壁の面から垂直に突出してもよい。さらに上述の態様ではタブが内方シェルに形成された内方シェルおよび外方シェルからヒンジ式蓋付きパケットが形成されているが、これとは別にタブを外方シェルに形成してもよい。
【００７３】
本発明の態様を示し、説明してきたが、当業者にとっては当然のことながら、上述の態様に以下の特許請求の範囲に記載されているような本発明の範囲内で変更を加えることは可能である。
【図１】
0005460693.tif 000002
【図２】
0005460693.tif 000003
【図３】
0005460693.tif 000004
【図４】
0005460693.tif 000005
【図５】
0005460693.tif 000006
【図６】
0005460693.tif 000007
【図７】
0005460693.tif 000008
【図８】
0005460693.tif 000009
【図９】
0005460693.tif 000010
【図１０】
0005460693.tif 000011
【図１１】
0005460693.tif 000012
【図１２】
0005460693.tif 000013
【図１３】
0005460693.tif 000014
【図１４】
0005460693.tif 000015
【図１５】
0005460693.tif 000016
【図１６】
0005460693.tif 000017
【図１７】
0005460693.tif 000018
【図１８】
0005460693.tif 000019
【図１９】
0005460693.tif 000020